(57)【要約】  【課題】簡潔な操作性を有し、車載用としても十分採用でき、かつ、保存された多くの音楽データをユーザの希望に沿って有効に活用することができる再生装置を提供すること。  【解決手段】音楽データが保存された記憶手段１１１０から読み出された音楽データを再生することのできる再生装置において、通信手段１１５０を介して得られる、音楽データに対応する曲のヒットランキング情報に基づいて、再生順序情報を作成する再生順序情報作成手段１１６０と、再生順序情報作成手段１１６０により作成された再生順序情報に基づいて、記憶手段１１１０に保存されている音楽データを再生する再生制御手段１１７０とを装備する。  【選択図】  図１１
2005038603.tif 000002
【特許請求の範囲】
【請求項１】
記憶手段に保存された音楽データを再生する再生装置において、
音楽データに対応する曲のヒットランキング情報に基づいて、再生順序情報を作成する
再生順序情報作成手段と、
該再生順序情報作成手段により作成された前記再生順序情報に基づいて、前記記憶手段
に保存されている音楽データを再生する再生制御手段とを備えていることを特徴とする再
生装置。
【請求項２】
前記再生順序情報作成手段は、ヒットランキング順の前記再生順序情報を作成するもの
であることを特徴とする請求項１記載の再生装置。
【請求項３】
前記再生順序情報作成手段は、ヒットランキングの高い順の前記再生順序情報を作成す
るものであることを特徴とする請求項２記載の再生装置。
【請求項４】
前記再生順序情報作成手段は、所定の期間内における前記ヒットランキング情報に基づ
いて、前記再生順序情報を作成するものであることを特徴とする請求項１〜３のいずれか
の項に記載の再生装置。
【請求項５】
前記再生順序情報作成手段は、音楽データの再生が途中で中断されたか否かの再生状況
を考慮に入れて、前記再生順序情報を作成するものであることを特徴とする請求項１〜４
のいずれかの項に記載の再生装置。
【請求項６】
音楽データの再生が途中で中断されたか否かに基づいて、音楽データに対する重要度を
付与する重要度設定手段を備え、
前記再生順序情報作成手段は、前記重要度を考慮に入れて、前記再生順序情報を作成す
るものであることを特徴とする請求項１〜４のいずれかの項に記載の再生装置。
【請求項７】
音楽データの再生中に、別の音楽データの再生が指示された場合、音楽データの再生が
途中で中断されたと判断されるように構成されていることを特徴とする請求項５又は請求
項６記載の再生装置。
【請求項８】
前記再生順序情報作成手段は、音楽データの再生直後または再生中にリピート再生指示
がされたか否かの再生状況を考慮に入れて、前記再生順序情報を作成するものであること
を特徴とする請求項１〜７のいずれかの項に記載の再生装置。
【請求項９】
音楽データの再生直後または再生中にリピート再生指示がされたか否かに基づいて、音
楽データに対する重要度を付与する重要度設定手段を備え、
前記再生順序情報作成手段は、前記重要度を考慮に入れて、前記再生順序情報を作成す
るものであることを特徴とする請求項１〜７のいずれかの項に記載の再生装置。
【請求項１０】
記憶手段に保存された音楽データを再生する再生装置を備えた再生システムにおいて、
音楽データに対応する曲のヒットランキング情報を、電気通信回線を介して送信する送
信装置を備え、
前記再生装置が、
前記送信装置から送信されてくる前記ヒットランキング情報に基づいて、再生順序情報
を作成する再生順序情報作成手段と、
該再生順序情報作成手段により作成された前記再生順序情報に基づいて、前記記憶手段
に保存されている音楽データを再生する再生制御手段とを含んで構成されていることを特
徴とする再生システム。
【請求項１１】
記憶手段に保存された音楽データを再生する再生装置に、
音楽データに対応する曲のヒットランキング情報に基づいて、再生順序情報を作成する
機能と、
前記再生順序情報に基づいて、前記記憶手段に保存されている音楽データを再生する機
能とを実現させることを特徴とする再生プログラム。
【発明の詳細な説明】
【技術分野】
【０００１】
本発明は再生装置、再生システム、及び再生プログラムに関し、より詳細には、再生す
る曲の順序を示した情報に基づいて、ハードディスクやＤＶＤなどの大容量の記憶装置に
保存されている曲を再生するための再生装置、再生システム、及び再生プログラムに関す
る。
【背景技術】
【０００２】
ディジタル技術の進歩により、音楽データは、ＣＤやＭＤ、ＤＶＤなど、多種多様なメ
ディアを通じて提供されるようになってきている。これらの音楽データを録音、再生する
ための装置も次々と開発され、それぞれのメディアの特性を十分に活かすために、多くの
便利な機能が搭載されるようになってきている。
【０００３】
しかしながら、車載用再生装置では、多機能であっても安全運転が妨げられないよう、
簡潔な操作が要求される。そのため、車載用でない通常の再生装置（以下、非車載用再生
装置という）に比べて搭載される機能は大幅に縮小されるという傾向にあり、音楽データ
を有効に活用するという要求は満たされていない。
【０００４】
一般的な車載用再生装置に搭載されている代表的な機能として、一般にプログラム再生
機能と呼ばれる機能がある。この機能は１枚または複数枚のＣＤやＭＤ、ＤＶＤなどに保
存された音楽データに含まれる曲の中から、ユーザが予め設定した、聴きたい曲の順序を
示す情報（以下、再生順序情報という）を基に、音楽データを再生する機能である。
【０００５】
しかし、再生順序情報を設定することは煩雑であり、長時間の操作を余儀なくされる。
そのため、設定した再生順序情報の示す曲順に飽きてしまっても、再生順序情報を手軽に
更新することができない、あるいは、その煩わしさからその機能がユーザに十分に利用さ
れていないというのが実情である。
【０００６】
また、その他の代表的な機能として、ランダム再生機能と呼ばれる機能がある。この機
能は、上記のような再生順序情報を用いずに、再生する曲の順序を装置側でランダムに選
択する機能である。そのため、ユーザの希望が伝わらず、特に、ＣＤチェンジャ内にセッ
トされた複数枚のＣＤなど、多くの音楽データの中からランダムな選曲がなされると、ユ
ーザが全く聴きたいと思っていない曲が選択されてしまうことも多くなる。そのため選曲
される範囲を指定する機能もあるが、このことは、上記のプログラム再生機能と同様に煩
雑な操作を要し、選曲可能な曲が多くなればなるほど、この傾向は強くなる。
【０００７】
このような車載用再生装置の課題に注目して、例えば、下記の特許文献１には、曲ごと
に再生回数を保存しておき、再生回数の最も多い曲を最初に再生する機能を搭載した車載
用再生装置が開示されており、これによって車載用再生装置の機能を十分に活用しつつ、
操作性を大幅に向上できるとされている。しかしながら、再生回数の最も多い曲を最初に
再生するという機能は、普遍的な要求とは言い難く、上述した課題を解決するものではな
い。
【０００８】
一方、最近では、記録媒体の大容量化やディジタルデータ圧縮技術の進歩により、ハー
ドディスクのような大容量の記録媒体に多くの音楽データを保存することが可能となって
きており、パーソナルコンピュータ等と融合された非車載用再生装置が一般に利用されて
いる。このような装置には、多くの音楽データを手軽に保存でき、再生時においても、Ｃ
ＤチェンジャにおけるＣＤの交換のように時間のかかる機械的動作を伴わないという優れ
た特徴がある。
【０００９】
ＣＤチェンジャ等を利用した従来の非車載用再生装置では、１００曲程度を管理すると
十分であったが、上記のような大容量の非車載用再生装置では、数千から数万曲もの曲の
中からユーザの求める曲を選曲できることが期待される。これには通常複雑な操作が必要
となり、特に、上記のプログラム再生機能を利用する場合、さらに複雑な操作と時間が必
要となる。そのため、再生順序情報の作成には、電子情報の管理での操作性に優れたパー
ソナルコンピュータ等が用いられることが多く、安全性を重視する車載用再生装置には不
向きなものとなっている。
【００１０】
上記のような大容量の記録媒体を備えた車載用再生装置の例として、例えば、下記の特
許文献２には、ＣＤプレーヤやＭＤプレーヤの他にハードディスクやメモリカードを搭載
した車載用再生装置が開示されている。この文献には、複数の音楽用記録媒体の中から任
意の曲を選択して再生できるとの効果が記載されているが、安全運転のためには同乗者に
よる操作が前提となっており、具体的な操作方法は記載されておらず、上記課題を解決す
るものとはなっていない。
【００１１】
すなわち、大容量の記録媒体を備える車載用再生装置においては、安全性を優先して必
要最小限度の機能だけを搭載したものとなるか、または安全性を犠牲にして複雑な操作を
要する機能を搭載したものとなるかのいずれかであり、安全性が優先される車載用再生装
置においては、結果として機能面で満足のいくものは実現されていない。
【００１２】
上述のように、従来の車載用再生装置においては、搭載された機能が少なく、多くの音
楽データを有効に活用することができない、また、大容量の非車載用再生装置においては
、操作が複雑であり車載用に適さないという課題があった。
【特許文献１】特開昭６０−５５５８１号公報
【特許文献２】特開２０００−２０７８４５号公報
【発明の開示】
【課題を解決するための手段及びその効果】
【００１３】
本発明は上記課題に鑑みなされたものであって、簡潔な操作性を有し、車載用としても
十分採用でき、かつ、保存された多くの音楽データをユーザの希望に沿って有効に活用す
ることができる再生装置、再生システム、及び該再生装置を実現するための再生プログラ
ムを提供することを目的としている。
【００１４】
上記目的を達成するために本発明に係る再生装置（１）は、記憶手段に保存された音楽
データを再生する再生装置において、音楽データに対応する曲のヒットランキング情報に
基づいて、再生順序情報を作成する再生順序情報作成手段と、該再生順序情報作成手段に
より作成された前記再生順序情報に基づいて、前記記憶手段に保存されている音楽データ
を再生する再生制御手段とを備えていることを特徴としている。
【００１５】
上記再生装置（１）によれば、ユーザは、前記再生順序情報を作成するための再生順序
判断基準情報として、ヒットランキング情報を選択するだけで、その再生順序判断基準情
報（すなわち、ヒットランキング情報）に基づいて、前記再生順序情報の作成が自動的に
なされ、そして、この作成された再生順序情報に基づいて、前記記憶手段に保存されてい
る音楽データが再生される。
【００１６】
これにより、従来のプログラム再生機能のように長時間かけてプログラムを作成する必
要がなくなり、また、幾分ランダム性を有する選曲機能を楽しむことができる。さらに、
新たに音楽データを保存し、保存されている内容が更新された場合でも、自動的に最新の
音楽データを反映させることができるので、保存した音楽データを聴かずに忘れてしまう
ことを防ぐ効果がある。
【００１７】
さらに、上記再生装置（１）によれば、前記ヒットランキング情報に基づいて、前記再
生順序情報が作成されるので、例えば、最近流行している曲の音楽データだけを再生した
り、ある期間内に流行していた曲の音楽データ（例えば、１０代の頃、３年前、冬の季節
に流行していた曲の音楽データ）だけを再生したりすることができる。また、ヒットラン
キングから曲を検索することも可能となる。
【００１８】
また、本発明に係る再生装置（２）は、上記再生装置（１）において、前記再生順序情
報作成手段は、ヒットランキング順の前記再生順序情報を作成するものであることを特徴
としている。
上記再生装置（２）によれば、ヒットランキング順の前記再生順序情報が作成されるの
で、ヒットランキング順に音楽データを再生することができる。例えば、最近流行してい
る曲をヒットランキング順に聴くことや、過去に流行していた曲をヒットランキング順に
聴くことができる。
【００１９】
また、本発明に係る再生装置（３）は、上記再生装置（２）において、前記再生順序情
報作成手段は、ヒットランキングの高い順の前記再生順序情報を作成するものであること
を特徴としている。
上記再生装置（３）によれば、ヒットランキングの高い順の前記再生順序情報が作成さ
れるので、例えば、ユーザは、最近流行している曲をヒットランキングの高いものから順
に聴くことができたり、過去に流行していた曲をヒットランキングの高い順に楽しむこと
ができる。
【００２０】
また、本発明に係る再生装置（４）は、上記再生装置（１）〜（３）のいずれかにおい
て、前記再生順序情報作成手段は、所定の期間内における前記ヒットランキング情報に基
づいて、前記再生順序情報を作成するものであることを特徴としている。
【００２１】
上記再生装置（４）によれば、前記所定の期間内における前記ヒットランキング情報に
基づいて、前記再生順序情報が作成されるので、例えば、２００２年６月に流行していた
曲から前記再生順序情報が作成される。従って、ユーザはその時代（例えば、１０代の頃
、３年前、冬の季節）に流行していた曲を楽しむことができる。
【００２２】
また、本発明に係る再生装置（５）は、上記再生装置（１）〜（４）のいずれかにおい
て、前記再生順序情報作成手段は、音楽データの再生が途中で中断されたか否かの再生状
況を考慮に入れて、前記再生順序情報を作成するものであることを特徴としている。
上記再生装置（５）によれば、音楽データの再生が途中で中断されたか否かの再生状況
を考慮に入れて、前記再生順序情報が作成される。再生中の曲が最後まで再生されずに、
途中で中断されること（例えば、ユーザにより再生中の曲がスキップされたり、ある曲の
再生中に別の曲が選択されること）は、前記再生中の曲はユーザのお気に入りでないと判
断することができる。これに対し、再生中の曲が最後まで再生されることは、前記再生中
の曲はユーザのお気に入りであると判断することができる。従って、ユーザのお気に入り
の曲を選択的に聴くことができる。
【００２３】
また、本発明に係る再生装置（６）は、上記再生装置（１）〜（４）のいずれかにおい
て、音楽データの再生が途中で中断されたか否かに基づいて、音楽データに対する重要度
を付与する重要度設定手段を備え、前記再生順序情報作成手段は、前記重要度を考慮に入
れて、前記再生順序情報を作成するものであることを特徴としている。
【００２４】
上記再生装置（６）によれば、音楽データの再生が途中で中断されたか否かに基づいて
、音楽データに対する重要度が付与され、該重要度を考慮に入れて、前記再生順序情報が
作成される。上述したように、再生中の曲が最後まで再生されずに、途中で中断されるこ
と（例えば、ユーザにより再生中の曲がスキップされたり、ある曲の再生中に別の曲が選
択されること）は、前記再生中の曲はユーザのお気に入りでないと判断することができる
。これに対し、再生中の曲が最後まで再生されることは、前記再生中の曲はユーザのお気
に入りであると判断することができる。
【００２５】
従って、音楽データの再生が途中で中断されたか否かに基づいて付与される前記重要度
は、ユーザのお気に入り度に相当し、このユーザのお気に入り度を考慮に入れて、前記再
生順序情報が作成されるので、ユーザのお気に入りの曲を選択的に聴くことができる。例
えば、前記重要度の低い曲を飛ばすことができる。
【００２６】
また、本発明に係る再生装置（７）は、上記再生装置（５）又は（６）において、音楽
データの再生中に、別の音楽データの再生が指示された場合、音楽データの再生が途中で
中断されたと判断されるように構成されていることを特徴としている。
【００２７】
上記再生装置（７）によれば、音楽データの再生中に、別の音楽データの再生がユーザ
により指示された場合（例えば、再生中の曲のスキップ操作や、ある曲の再生中に別の曲
を選択する操作）、再生中の曲が途中で中断されたと判断されるように構成されている。
ユーザにより再生中の曲がスキップされたり、ある曲の再生中に別の曲が選択されるこ
とは、再生中の曲はユーザのお気に入りでないと判断することができる。また、再生中の
曲が途中で中断されたことを検出する目的は、再生中の曲がユーザのお気に入りの曲であ
るか否かを判定するためである。従って、前記目的に適うように、再生中の曲が途中で中
断されたか否かを判断することができる。
【００２８】
また、本発明に係る再生装置（８）は、上記再生装置（１）〜（７）のいずれかにおい
て、前記再生順序情報作成手段は、音楽データの再生直後または再生中にリピート再生指
示がされたか否かの再生状況を考慮に入れて、前記再生順序情報を作成するものであるこ
とを特徴としている。
【００２９】
上記再生装置（８）によれば、音楽データの再生直後または再生中にリピート再生指示
がされたか否かの再生状況を考慮に入れて、前記再生順序情報が作成される。再生直後ま
たは再生中に曲がリピートされることは、当該曲はユーザのお気に入りであると判断する
ことができる。従って、ユーザのお気に入りの曲を選択的に聴くことができる。
【００３０】
また、本発明に係る再生装置（９）は、上記再生装置（１）〜（７）のいずれかにおい
て、音楽データの再生直後または再生中にリピート再生指示がされたか否かに基づいて、
音楽データに対する重要度を付与する重要度設定手段を備え、前記再生順序情報作成手段
は、前記重要度を考慮に入れて、前記再生順序情報を作成するものであることを特徴とし
ている。
【００３１】
上記再生装置（９）によれば、音楽データの再生直後または再生中にリピート再生指示
がされたか否かに基づいて、音楽データに対する重要度が付与され、該重要度を考慮に入
れて、前記再生順序情報が作成される。上述したように、再生直後または再生中に曲がリ
ピートされることは、当該曲はユーザのお気に入りであると判断することができる。
【００３２】
従って、音楽データの再生直後または再生中にリピート再生指示がされたか否かに基づ
いて付与される前記重要度は、ユーザのお気に入り度に相当し、このユーザのお気に入り
度を考慮に入れて、前記再生順序情報が作成されるので、ユーザのお気に入りの曲を選択
的に聴くことができる。例えば、前記重要度の低い曲を飛ばすことができる。
【００３３】
また、本発明に係る再生システム（１）は、記憶手段に保存された音楽データを再生す
る再生装置を備えた再生システムにおいて、音楽データに対応する曲のヒットランキング
情報を、電気通信回線を介して送信する送信装置を備え、前記再生装置が、前記送信装置
から送信されてくる前記ヒットランキング情報に基づいて、再生順序情報を作成する再生
順序情報作成手段と、該再生順序情報作成手段により作成された前記再生順序情報に基づ
いて、前記記憶手段に保存されている音楽データを再生する再生制御手段とを含んで構成
されていることを特徴としている。
【００３４】
上記再生システム（１）によれば、前記再生装置を使用するユーザは、前記再生順序情
報を作成するための再生順序判断基準情報として、ヒットランキング情報を選択するだけ
で、その再生順序判断基準情報（すなわち、ヒットランキング情報）に基づいて、前記再
生順序情報の作成が自動的になされ、そして、この作成された再生順序情報に基づいて、
前記記憶手段に保存されている音楽データが再生される。
【００３５】
これにより、従来のプログラム再生機能のように長時間かけてプログラムを作成する必
要がなくなり、また、幾分ランダム性を有する選曲機能を楽しむことができる。さらに、
新たに音楽データを保存し、保存されている内容が更新された場合でも、自動的に最新の
音楽データを反映させることができるので、保存した音楽データを聴かずに忘れてしまう
ことを防ぐ効果がある。
【００３６】
さらに、上記再生システム（１）によれば、前記ヒットランキング情報に基づいて、前
記再生順序情報が作成されるので、例えば、最近流行している曲の音楽データだけを再生
したり、ある期間内に流行していた曲の音楽データだけを再生したりすることができる。
また、ヒットランキングから曲を検索することも可能となる。また、前記ヒットランキン
グ情報については、前記送信装置から電気通信回線（例えば、インターネット）を介して
送信されてくるため、前記再生装置では新しい情報を簡単に取得することができる。
【００３７】
また、本発明に係る再生プログラム（１）は、記憶手段に保存された音楽データを再生
する再生装置に、音楽データに対応する曲のヒットランキング情報に基づいて、再生順序
情報を作成する機能と、前記再生順序情報に基づいて、前記記憶手段に保存されている音
楽データを再生する機能とを実現させることを特徴としている。
【００３８】
上記再生プログラム（１）によれば、上記再生装置（１）が有する機能を、容易に他の
コンピュータシステムに実現させることができる。さらに、このプログラムが記録された
コンピュータ読み取り可能な記録媒体により、より多くのコンピュータシステムに上記再
生装置（１）が有する機能を実現させることができる。
【発明を実施するための最良の形態】
【００３９】
以下、本発明に係る再生装置の実施の形態を図面に基づいて説明する。図１は、参考の
形態（１）に係る再生装置の要部を概略的にを示したブロック図である。図１に示したよ
うに、再生装置は、制御手段１００、記憶手段１１０、読込手段１２０、再生手段１３０
、操作手段１４０、通信手段１５０、再生順序情報作成手段１６０、再生制御手段１７０
および告知手段１８０を備えている。
制御手段１００は、バス２０を通じて、再生装置に含まれる各手段を制御するものであ
り、１つまたは複数の中央処理装置およびその周辺回路で実現されている。
【００４０】
記憶手段１１０は、少なくとも音楽データおよび再生順序情報を保存する記憶装置で構
成され、実施の形態では、大きな記憶容量を有し多くの音楽データを保存できる記憶装置
となっている。記憶手段１１０は、ハードディスク、光磁気ディスク等で実現されるが、
補足的に半導体メモリなどを含んでもよい。
【００４１】
読込手段１２０は、ＣＤ、ＭＤまたはＤＶＤなどの記録媒体１０に格納されている音楽
データを読み込む、およびアンテナ１５０Ａと通信手段１５０とを介してインターネット
経由で送信される音楽データを読み込むものである。
再生手段１３０は、再生制御手段１７０から伝送されてくるディジタルの音楽データを
、アナログ信号に変換して再生するための手段であり、出力にはスピーカ１３０Ａ等が用
いられる。
【００４２】
操作手段１４０は、ユーザが複数の再生順序判断基準情報から一つの再生順序判断基準
情報を選択することを可能にするものであり、キーボードスイッチ形式の他、タッチパネ
ルスイッチ形式あるいは音声入力形式であってもよい。
通信手段１５０は、無線通信により、再生装置を電気通信回線に接続する手段であり、
データの送受信を行うものである。これは、携帯電話やカーナビゲーションシステムなど
に搭載された通常の無線通信装置で実現される。
【００４３】
再生順序情報作成手段１６０は、ユーザによって選択された再生順序判断基準情報を基
に再生順序情報を作成するものであり、プログラムおよびそのプログラムが組み込まれた
コンピュータで実現される。
再生制御手段１７０は、記憶手段１１０に保存された再生順序情報を基に、記憶手段１
１０から対応する音楽データを逐次再生手段１３０に伝送する、また、読込手段１２０で
読み込まれた音楽データを再生手段１３０に伝送するものであり、プログラムおよびその
プログラムが組み込まれたコンピュータで実現される。
【００４４】
告知手段１８０は、音楽データに含まれる曲名情報、再生順序情報、再生順序判断基準
情報などを告知する手段である。これは、モニタ画面等で実現されるが、操作手段１４０
と一体化したタッチパネルスイッチ形式あるいは音声出力形式であってもよい。特に、タ
ッチパネルスイッチ形式のものでは、一連の動作で、告知内容の確認と入力操作とを行う
ことができるので、より操作が簡便となり、より高い安全性が保たれる。
【００４５】
図２は、参考の形態（１）に係る再生装置において使用される音楽データのデータ構造
および再生順序情報の一例を概略的に示したテーブルである。
図示したように、表中にそれぞれ一行で記載された各音楽データは、それぞれの音楽デ
ータを特定するための識別データと、それぞれの音楽データを再生するときの音の情報を
示す音響データとを含んで構成されている。識別データは、曲ＩＤ、曲名情報、アーティ
スト名情報、ジャンル情報または保存日時情報などを含んでいる。なお、音響データが、
再生動作時の制御情報を含んでいてもよい。
【００４６】
再生順序情報は、これらの音楽データを再生するときの順番を示す情報であり、図示し
たように、例えば、表左端の列のように曲ＩＤを並べたものとして表現するとよい。しか
し、以下、説明のため再生順序情報として他の識別データも併せて記載する。
通常、再生順序情報は表の第一行となる音楽データから再生を開始して最終行の方向へ
一行ずつ進む順で定義するとよいが、最終行となる音楽データから逆方向に進める、三行
おきに進める、またはランダムな行数ごとに進めるなど、様々な設定が可能である。
【００４７】
このような再生順序情報を基に、再生制御手段１７０は、記憶手段１１０内の、再生す
べき音楽データが保存されている部分から音響データを読み出し、これを逐次再生手段１
３０に伝送する。これにより、音楽データの再生が行われる。なお、これに合わせて制御
手段１００が、再生すべき音楽データが保存されている部分から識別データを告知手段１
８０に伝送し、告知させることが望ましい。
【００４８】
図３は、参考の形態（１）に係る再生装置に用いられる操作手段１４０および告知手段
１８０の一例を概念的に示した図である。
操作手段１４０は、固定ボード１４０Ａおよびリモコン１４０Ｂにより実現されている
。これらの操作手段１４０は、それぞれの再生順序判断基準情報に対応した入力手段を備
えており、これを操作することで選択された再生順序判断基準情報が設定される構成とな
っている。
【００４９】
告知手段１８０は、モニタ画面１８０Ａにより実現されている。モニタ画面１８０Ａに
表示される画面の例が、画面１〜５に示されている。これらの画面に示したように、告知
手段１８０には、選択できる再生順序判断基準情報の種類、選択された再生順序判断基準
情報、再生中の音楽データやその進行状況などが表示される。
【００５０】
ここでは、各再生順序判断基準情報として、〔１〕曲名、〔２〕アーティスト名、〔３
〕ジャンルおよび〔４〕保存日時を例示している。実施の形態（１）に係る再生装置は、
まず、画面１を表示して、画面１に示された再生順序判断基準情報から１つをユーザに選
択させる。次に、画面２〜４を表示して、選択された再生順序判断基準情報ごとに、さら
にそれを補足する情報を選択させる。このようにして選択された再生順序判断基準情報を
基に再生順序情報を作成すると、作成された再生順序情報に従って音楽データの再生を開
始し、画面５を表示して、その状況をユーザに告知する。ここでは、選択された再生順序
判断基準情報として、「９９年１０月」という保存日時情報、が選択されている場合の例
が示されている。
【００５１】
図４は、図３に示した参考の形態（１）に係る再生装置における制御手段１００の動作
を示したフローチャートである。なお、図３に示した画面１〜５は以下においても引用す
る。まず、ステップＳ４００において、告知手段１８０に画面１を表示し、複数の再生順
序判断基準情報の中から一つの再生順序判断基準情報をユーザに操作手段１４０を介して
選択させ、ステップＳ４０１に進行する。
【００５２】
ステップＳ４０１において、選択された再生順序判断基準情報が、〔１〕曲名、〔２〕
アーティスト名など名前順のものであるか否かを判断する。名前順のものであると判断す
ると、ステップＳ４０３に進行し、告知手段１８０に画面２を表示させる。そしてステッ
プＳ４０６に進行し、さらに補足的な再生順序判断基準情報として、五十音の中から所望
の名前を構成する先頭の文字をユーザに選択させ、ステップＳ４０９に進行する。一方、
ステップＳ４０１において名前順のものでないと判断すると、ステップＳ４０２に進行す
る。
【００５３】
ステップＳ４０２において、選択された再生順序判断基準情報が、〔３〕ジャンルであ
るか否かを判断する。〔３〕ジャンルであると判断すると、ステップＳ４０４に進行し、
告知手段１８０に画面３を表示させる。そしてステップＳ４０７に進行し、「ポップス」
、「演歌」、「ボーカル」、「ジャズ」、「ロック」および「ソウル」の中から、さらに
補足的な再生順序判断基準情報としてジャンル情報をユーザに選択させ、ステップＳ４０
９に進行する。
【００５４】
一方、ステップＳ４０２において〔３〕ジャンルでないと判断すると、選択された再生
順序判断基準情報が、〔４〕保存日時など、日時を指定することが望ましいものであると
判断してステップＳ４０５に進行し、告知手段１８０に画面４を表示させる。そしてステ
ップＳ４０８に進行し、さらに、補足的な再生順序判断基準情報として日時をユーザに選
択させ、ステップＳ４０９に進行する。
【００５５】
ステップＳ４０９に進行すると、選択された再生順序判断基準情報を基に、再生順序情
報作成手段１６０に再生順序情報を作成させる。次にステップＳ４１０に進行して告知手
段１８０に画面５を表示させる。そして、ステップＳ４１１に進行し、再生制御手段１７
０に、再生順序情報に基づく音楽データの再生を開始させる。なお、このような入力操作
において、入力を中止するためのキャンセル入力機能や、外部装置からの割り込み入力機
能等を含むことが望ましい。
【００５６】
上記参考の形態（１）に係る再生装置によれば、上述したような簡潔な操作で、多彩な
選曲機能を発揮させることができる。以下、上述した再生順序判断基準情報を基に、再生
順序情報作成手段１６０が再生順序情報を作成する処理について説明する。
【００５７】
図５（ａ）は、再生順序判断基準情報が、曲名情報の五十音順情報である場合に、再生
順序情報作成手段１６０が作成した再生順序情報を作成したときの一例を概略的に示した
テーブルである。一方、図５（ｂ）は、再生順序判断基準情報が、アーティスト名情報の
五十音順情報である場合に、再生順序情報作成手段１６０が作成した再生順序情報を作成
したときの一例を概略的に示したテーブルである。
【００５８】
上記の図３の画面２に示したように、再生順序判断基準情報としての曲名情報またはア
ーティスト名情報は、五十音順に並べられた文字の中から、その先頭文字をユーザに選択
させるとよい。先頭文字を選択させるだけでは曲数が多く不便であるときは、２番目の文
字、３番目の文字をさらに選択させてもよい。
【００５９】
図５に示したように、音楽データを曲名やアーティスト名の発音順に並べるため、音楽
データに曲名やアーティスト名を仮名文字で表記した五十音順情報が含まれている必要が
ある。再生順序情報作成手段１６０は、この五十音順情報を参照して、音楽データを五十
音順に並べることができる。なお、五十音順情報の代わりに、曲名やアーティスト名を外
国語、例えばアルファベットで表記したアルファベット順情報を用いることもできる。
【００６０】
また、所定の曲数分の音楽データ、例えば１０曲分の音楽データで構成されるグループ
を作成し、作成されたグループを並べた再生順序判断基準情報を作成することも可能であ
る。この場合、図示したように、音楽データを五十音順に並べ、各音楽データにグループ
情報を加えるとよい。グループ情報は各グループを識別するものであり、グループ内の複
数の音楽データは通常続けて再生される。そのため、１つのグループを１つの音楽データ
のように扱うことが可能となり、１つのグループのグループ情報を、１つの音楽データの
曲ＩＤと同様に扱うことができる。
【００６１】
図６は、再生順序情報作成手段１６０が、図５（ａ）または（ｂ）に示した再生順序情
報を作成するときの動作を示したフローチャートである。曲名情報もアーティスト名情報
も、処理としてはほぼ同等なものであるので、ここでは、図５（ａ）の例のように、再生
順序判断基準情報が、曲名情報の五十音順情報である場合についてのみ説明する。
【００６２】
まず、ステップＳ６０１において、有効範囲の設定を行って、再生順序判断基準情報に
含まれうる音楽データの範囲を定める。再生順序判断基準情報として、上述のように所望
の名前を構成する先頭の文字がユーザにより選択されている場合、例えば「カ行」の「ク
」が選択されていると、有効範囲は文字「ク」に設定される。一方、上記先頭の文字が選
択されていない場合、有効範囲はすべての文字として設定される。
【００６３】
次にステップＳ６０２に進行して、記憶手段１１０に保存されている音楽データに含ま
れる曲名情報の五十音順情報を読み込み、ステップＳ６０３に進行して、その五十音順情
報は設定された有効範囲内にあるか否かを判断する。有効範囲内にあると判断すると、ス
テップＳ６０４に進行して、記憶手段１１０にその音楽データに含まれる曲ＩＤを五十音
順に保存して、ステップＳ６０５に進行する。一方、ステップＳ６０３において、その五
十音順情報は有効範囲内にないと判断すると、直接ステップＳ６０５に進行する。
【００６４】
ステップＳ６０５では、検索すべき音楽データがあるか否かを判断する。検索すべき音
楽データがあると判断すると、ステップＳ６０２に戻って、次の音楽データに含まれる曲
名情報の五十音順情報を読み込み、上記処理を繰り返す。一方、検索すべき音楽データが
ないと判断すると、ステップＳ６０６に進行し、五十音順に保存された記憶手段１１０内
のデータを基に再生順序情報を作成し、記憶手段１１０に保存する。
所定の曲数分の前記音楽データで構成されるグループを作成する場合には、ステップＳ
６０４において、記憶手段１１０にその音楽データに含まれる曲ＩＤを保存するときに、
所定の曲数ごとに異なるグループ情報を併せて保存するとよい。
【００６５】
図７は、再生順序判断基準情報が、ジャンル情報である場合に、再生順序情報作成手段
１６０が作成した再生順序情報を作成したときの一例を概略的に示したテーブルである。
上記の図３の画面３に示したように、再生順序判断基準情報としてのジャンル情報は、「
ポップス」、「演歌」、「ボーカル」、「ジャズ」、「ロック」および「ソウル」などか
らユーザに選択させるとよい。
【００６６】
図７に示したように、ジャンルごとに並べるため、音楽データに「ポップス」、「ボー
カル」などのジャンル情報が含まれている必要がある。再生順序情報作成手段１６０は、
これらの音楽データに含まれるジャンル情報を参照して、音楽データをジャンルごとに並
べることができる。
【００６７】
図８は、再生順序情報作成手段１６０が、図７に示した再生順序情報を作成するときの
動作を示したフローチャートである。
まず、ステップＳ８０１において、有効範囲の設定を行って、再生順序判断基準情報に
含まれうる音楽データの範囲を定める。再生順序判断基準情報として、ジャンル情報が、
ユーザにより選択されている場合、例えば「ポップス」、「演歌」、「ボーカル」、「ジ
ャズ」、「ロック」および「ソウル」の中から、「ポップス」および「ボーカル」が選択
されていると、有効範囲は「ポップス」および「ボーカル」に設定される。
【００６８】
次にステップＳ８０２に進行して、記憶手段１１０に保存されている音楽データに含ま
れる曲名情報のジャンル情報を読み込み、ステップＳ８０３に進行して、そのジャンル情
報は設定された有効範囲内にあるか否かを判断する。有効範囲内にあると判断すると、ス
テップＳ８０４に進行して、記憶手段１１０にその音楽データに含まれる曲ＩＤをジャン
ルごとに保存して、ステップＳ８０５に進行する。一方、ステップＳ８０３において、そ
のジャンル情報は有効範囲内にないと判断すると、直接ステップＳ８０５に進行する。
【００６９】
ステップＳ８０５では、検索すべき音楽データがあるか否かを判断する。検索すべき音
楽データがあると判断すると、ステップＳ８０２に戻って、次の音楽データに含まれる曲
名情報のジャンル情報を読み込み、上記処理を繰り返す。一方、検索すべき音楽データが
ないと判断すると、ステップＳ８０６に進行し、ジャンルごとに保存された記憶手段１１
０内のデータを基に、再生順序情報を作成し、記憶手段１１０に保存する。
所定の曲数分の前記音楽データで構成されるグループを作成する場合には、ステップＳ
８０４において、記憶手段１１０にその音楽データに含まれる曲ＩＤを保存するときに、
所定の曲数ごとに異なるグループ情報を併せて保存するとよい。
【００７０】
図９は、再生順序判断基準情報が、保存日時情報情報である場合に、再生順序情報作成
手段１６０が作成した再生順序情報を作成したときの一例を概略的に示したテーブルであ
る。上記の図３の画面４に示したように、再生順序判断基準情報としての保存日時情報情
報は、年や月を示したテーブルの中からユーザに選択させるとよい。
【００７１】
図９に示したように、保存日時情報順に並べるため、音楽データに保存日時情報が含ま
れている必要がある。再生順序情報作成手段１６０は、この保存日時情報情報を参照して
、音楽データを保存日時情報順に並べることができる。また、並べるための検索が容易と
なるように、詳細な日時を示した保存日時情報が、「０１年０１月」のように簡略化され
ていることが望ましい。
【００７２】
図１０は、再生順序情報作成手段１６０が、図９に示した再生順序情報を作成するとき
の動作を示したフローチャートである。
まず、ステップＳ１００１において、有効範囲の設定を行って、再生順序判断基準情報
に含まれうる音楽データの範囲を定める。再生順序判断基準情報として、保存日時情報の
日時に関する情報が、ユーザにより選択されている場合、例えば「０１年０１月」が選択
されていると、有効範囲は２００１年１月１日から２００１年１月３１までの１ヶ月間と
いうように設定される。
【００７３】
次にステップＳ１００２に進行して、記憶手段１１０に保存されている音楽データに含
まれる曲名情報の保存日時情報を読み込み、ステップＳ１００３に進行して、その保存日
時情報は設定された有効範囲内にあるか否かを判断する。有効範囲内にあると判断すると
、ステップＳ１００４に進行して、記憶手段１１０にその音楽データに含まれる曲ＩＤを
保存日時順に保存して、ステップＳ１００５に進行する。一方、ステップＳ１００３にお
いて、その保存日時情報は有効範囲内にないと判断すると、直接ステップＳ１００５に進
行する。
【００７４】
ステップＳ１００５では、検索すべき音楽データがあるか否かを判断する。検索すべき
音楽データがあると判断すると、ステップＳ１００２に戻って、次の音楽データに含まれ
る曲名情報の保存日時情報を読み込み、上記処理を繰り返す。一方、検索すべき音楽デー
タがないと判断すると、ステップＳ１００６に進行し、保存日時順に保存された記憶手段
１１０内のデータを基に、再生順序情報を作成し、記憶手段１１０に保存する。
【００７５】
所定の曲数分の前記音楽データで構成されるグループを作成する場合には、ステップＳ
１００４において、記憶手段１１０にその音楽データに含まれる曲ＩＤを保存日時に保存
するときに、所定の曲数ごとに異なるグループ情報を併せて保存するとよい。なお、ここ
では月ごとに日時を指定させる例を示しているが、日や週、季節、年などを指定させるこ
とも可能である。
【００７６】
図１１は、実施の形態（１）に係る再生装置の要部を概略的に示したブロック図である
。図１１に示したように、実施の形態（１）に係る再生装置は、図１に示した再生装置の
場合と同様に、制御手段１１００、記憶手段１１１０、読込手段１１２０、再生手段１１
３０、操作手段１１４０、通信手段１１５０、再生順序情報作成手段１１６０、再生制御
手段１１７０および告知手段１１８０を備えている。これらの各手段の詳細については図
１に示したものと同様であるが、ここではさらに照合手段１１９０を備えている点で異な
る。また、読込手段１１２０は、音楽データだけでなく、電気通信回線から送信されてく
る発売日情報またはヒットランキング情報を含む音楽公開情報を読み込むことができ、記
憶手段１１１０も、音楽データだけでなく、音楽公開情報を保存することが可能である。
【００７７】
照合手段１１９０は、記憶手段１１１０に保存されている音楽公開情報と音楽データと
の間で照合処理を行い、その照合処理の結果を基に音楽データを更新して、この音楽デー
タを記憶手段１１１０に保存するものであり、プログラムおよびそのプログラムが組み込
まれたコンピュータで実現される。
【００７８】
図１２は、実施の形態（１）に係る再生装置において使用される音楽データのデータ構
造および再生順序情報の一例を概略的に示したテーブルである。図１２に示したように、
実施の形態（１）に係る再生装置で扱われる音楽データは、図２に示した、参考の形態（
１）に係る再生装置の場合と同様であるが、識別データに、音楽公開情報として、発売日
情報またはヒットランキング情報が含まれる点で異なる。
【００７９】
図１３（ａ）は、照合手段１１９０が、発売日情報と音楽データとの間で照合処理を行
うときの一例を概略的に示したテーブルである。
図示したように、各音楽データは、通信手段１１５０を介して送信されてくる発売日情
報を基に、発売日順に並べられている。この例では、発売日情報が２００２年６月に発売
された音楽データで構成されているが、発売日情報としては、このように所定の期間ごと
に区切られているものを読み込むとよい。
【００８０】
照合手段１１９０は、読み込まれた発売日情報に含まれる曲名情報やアーティスト名情
報を基に、記憶手段１１１０に保存されている音楽公開情報と音楽データとの間の照合処
理を行う。照合の結果、同一の曲を示す音楽データが見つかったものについては、その情
報に対応する曲ＩＤや保存日時情報を結びつけ、その音楽データの発売日情報が未登録の
場合には発売日情報を登録するなど、音楽データの更新を行う。
【００８１】
記憶手段１１１０に保存されていない音楽データについては、表中の曲ＩＤまたは保存
日時情報の欄に「−」印が記されている。このとき、保存されていない音楽データに関し
てダウンロードが必要か否かを、ユーザに決定させることが望ましい。また、ユーザの定
義した定義ファイルを参照して自動的に決定するように設定することも可能である。
【００８２】
一方、図１３（ｂ）は、照合手段１１９０が、ヒットランキング情報と音楽データとの
間で照合処理を行うときの一例を概略的に示したテーブルである。
図示したように、各音楽データは、通信手段１１５０を介して送信されてくるヒットラ
ンキング情報を基に、ヒットランキング順に並べられている。この例では、発売日情報が
２００２年６月における音楽データで構成されているが、ヒットランキング情報としては
、このように所定の期間ごとに区切られているもの、あるいは常に最新のものを読み込む
とよい。
【００８３】
照合手段１１９０は、読み込まれたヒットランキング情報に含まれる曲名情報やアーテ
ィスト名情報を基に、記憶手段１１１０に保存されている音楽公開情報と音楽データとの
間の照合処理を行う。照合の結果、同一の曲を示す音楽データが見つかったものについて
は、その情報に対応する曲ＩＤや保存日時情報を結びつけ、その音楽データのヒットラン
キング情報が未登録の場合には発売日情報を登録するなど、音楽データの更新を行う。こ
のとき、ヒットランキング情報は過去のヒットランキング情報を確保するように、各年各
月ごとに、あるいは各ジャンルごとに保存されることが望ましい。
【００８４】
記憶手段１１１０に保存されていない音楽データについては、表中の曲ＩＤまたは保存
日時情報の欄に「−」印が記されている。このとき、保存されていない音楽データに関し
てダウンロードが必要か否かを、ユーザに決定させることが望ましい。また、ユーザの定
義した定義ファイルを参照して自動的に決定するように設定することも可能である。
【００８５】
図１４は、実施の形態（１）に係る再生装置に用いられる操作手段１１４０および告知
手段１１８０の一例を概念的に示した図である。
図示したように、図３に示したものとほぼ同様であるが、ここでは画面１において、さ
らに〔５〕発売日と〔６〕ヒットランキングとが追加されており、発売日情報およびヒッ
トランキング情報が、再生順序判断基準情報として選択可能な場合を示している。
【００８６】
また、これらの音楽公開情報が再生順序判断基準情報として選択されたときには、〔４
〕保存日時が選択された場合と同様に画面４による入力操作が行われることが望ましい。
したがって、図１３に示した実施の形態（１）に係る再生装置における制御手段１１００
の動作を示したフローチャートは、図４に示したものと同様であるので、これらの詳細な
説明を省略する。
【００８７】
図１５は、再生順序判断基準情報が、発売日情報である場合に、再生順序情報作成手段
１１６０が作成した再生順序情報を作成したときの一例を概略的に示したテーブルである
。上記の図１４の画面４に示したように、再生順序判断基準情報としての発売日情報は、
年や月を示したテーブルの中からユーザに選択させるとよい。
【００８８】
図１５に示したように、発売日情報順に並べるため、音楽データの識別情報に発売日情
報が含まれている必要がある。再生順序情報作成手段１６０は、この発売日情報を参照し
て、音楽データを発売日順に並べることができる。また、ユーザによって選択された所定
の期間内に発売された曲の音楽データで構成されるグループを作成することもできる。表
中における「０２年０６月」の記載は、この期間を示している。
【００８９】
図１６は、再生順序情報作成手段１６０が、図１５に示した再生順序情報を作成すると
きの動作を示したフローチャートである。
まず、ステップＳ１６０１において、有効範囲の設定を行って、再生順序判断基準情報
に含まれうる音楽データの範囲を定める。再生順序判断基準情報として、発売日情報が、
ユーザにより選択されている場合、例えば「０１年０１月」が選択されていると、有効範
囲は２００１年１月１日から２００１年１月３１までの１ヶ月間というように設定される
。また、最新の１ヶ月間というように、常に最新のものを設定することもできる。
【００９０】
次にステップＳ１６０２に進行して、記憶手段１１０に保存されている音楽データに含
まれる発売日情報を読み込み、ステップＳ１６０３に進行して、その発売日情報は設定さ
れた有効範囲内にあるか否かを判断する。有効範囲内にあると判断すると、ステップＳ１
６０４に進行して、記憶手段１１０にその音楽データに含まれる曲ＩＤを発売日順に保存
して、ステップＳ１６０５に進行する。一方、ステップＳ１６０３において、その発売日
情報は有効範囲内にないと判断すると、直接ステップＳ１６０５に進行する。
【００９１】
ステップＳ１６０５では、検索すべき音楽データがあるか否かを判断する。検索すべき
音楽データがあると判断すると、ステップＳ１６０２に戻って、次の音楽データに含まれ
る曲名情報の発売日情報を読み込み、上記処理を繰り返す。一方、検索すべき音楽データ
がないと判断すると、ステップＳ１６０６に進行し、発売日順に保存された記憶手段１１
０内のデータを基に、再生順序情報を作成し、記憶手段１１０に保存する。
【００９２】
所定の曲数分の前記音楽データで構成されるグループを作成する場合には、ステップＳ
１６０４において、記憶手段１１０にその音楽データに含まれる曲ＩＤを発売日に保存す
るときに、所定の曲数ごとに異なるグループ情報を併せて保存するとよい。
【００９３】
図１７は、再生順序判断基準情報が、ヒットランキング情報である場合に、再生順序情
報作成手段１１６０が作成した再生順序情報を作成したときの一例を概略的に示したテー
ブルである。
上記の図１４の画面４に示したように、再生順序判断基準情報としてのヒットランキン
グ情報は、年や月を示したテーブルの中からユーザに選択させるとよい。なお、ヒットラ
ンキングの値が連続していないのは、該当する曲が保存されていないためである。
【００９４】
図１７に示したように、ヒットランキング情報順に並べるため、音楽データの識別情報
にヒットランキング情報が含まれている必要がある。再生順序情報作成手段１６０は、こ
のヒットランキング情報を参照して、音楽データをヒットランキング順に並べることがで
きる。また、ヒットランキング順に、ユーザによって選択された所定の期間内にランキン
グされた曲の音楽データで構成されるグループを作成することもできる。表中における「
０２年０６月」の記載は、この期間を示している。
【００９５】
図１８は、再生順序情報作成手段１６０が、図１７に示した再生順序情報を作成すると
きの動作を示したフローチャートである。
まず、ステップＳ１８０１において、有効範囲の設定を行って、再生順序判断基準情報
に含まれうる音楽データの範囲を定める。再生順序判断基準情報として、ヒットランキン
グ情報が、ユーザにより選択されている場合、例えば「０１年０１月」が選択されている
と、有効範囲は２００１年１月１日から２００１年１月３１までの１ヶ月間というように
設定される。また、最新の１ヶ月間というように、常に最新のものを設定することもでき
る。
【００９６】
次にステップＳ１８０２に進行して、記憶手段１１０に保存されている音楽データに含
まれるヒットランキング情報を読み込み、ステップＳ１８０３に進行して、そのヒットラ
ンキング情報は設定された有効範囲内にあるか否かを判断する。有効範囲内にあると判断
すると、ステップＳ１８０４に進行して、記憶手段１１０にその音楽データに含まれる曲
ＩＤをヒットランキング順に保存して、ステップＳ１８０５に進行する。一方、ステップ
Ｓ１８０３において、そのヒットランキング情報は有効範囲内にないと判断すると、直接
ステップＳ１８０５に進行する。
【００９７】
ステップＳ１８０５では、検索すべき音楽データがあるか否かを判断する。検索すべき
音楽データがあると判断すると、ステップＳ１８０２に戻って、次の音楽データに含まれ
る曲名情報のヒットランキング情報を読み込み、上記処理を繰り返す。一方、検索すべき
音楽データがないと判断すると、ステップＳ１８０６に進行し、ヒットランキング順に保
存された記憶手段１１０内のデータを基に、再生順序情報を作成し、記憶手段１１０に保
存する。
所定の曲数分の前記音楽データで構成されるグループを作成する場合には、ステップＳ
１８０４において、記憶手段１１０にその音楽データに含まれる曲ＩＤをヒットランキン
グに保存するときに、所定の曲数ごとに異なるグループ情報を併せて保存するとよい。
【００９８】
ところで、各音楽データの識別データとして重要度を設定しておくと、ユーザがあまり
聴きたくない曲を自動的にスキップさせることができるので便利である。そのためには、
再生順序情報作成手段が再生順序情報を作成するときに、前記音楽データのそれぞれに関
する重要度を参照し、該重要度を再生順序情報の作成に反映させるようにするとよい。こ
の機能を、上記の各選曲機能と併用するとさらにユーザの満足度を高めることができる。
【００９９】
例えば、各音楽データに８段階の重要度を設定しておき、曲名情報を基に再生順序情報
を作成しているときに、あるいは従来のランダム再生機能による選曲を行うときに、重要
度が所定値以上、例えば重要度６以上の音楽データだけを選択的に選曲する、あるいは重
要度に見合った確率、例えば重要度６では６０％の確率で選曲するなどの設定を実行させ
る。なお、重要度は、曲の再生中に、ユーザの簡単な操作により変更されることが望まし
い。例えば、再生直前または再生中の曲がスキップされたときには、その曲に対応する重
要度の値を下げ、再生直後または再生中に曲がリピート操作されたときには、その曲に対
応する重要度の値を上げるようにする。あるいは、ユーザが操作手段を介して直接操作し
、制御手段が、操作手段からの操作信号を受けて、再生中の曲に対応する重要度の値を変
更するようにしてもよい。
上述したように、参考の形態（１）に係る再生装置、又は実施の形態（１）に係る再生
装置によれば、車載用として十分に簡潔な操作で選曲・再生を行うことができ、かつ、保
存された多くの音楽データを有効に活用することができる。
【図面の簡単な説明】
【０１００】
【図１】参考の形態（１）に係る再生装置の要部を概略的に示したブロック図である。
【図２】参考の形態（１）に係る再生装置において使用される音楽データのデータ構造および再生順序情報の一例を概略的に示したテーブルである。
【図３】参考の形態（１）に係る再生装置に用いられる操作手段および告知手段の一例を概念的に示した図である。
【図４】図３に示した再生装置における制御手段の動作を示したフローチャートである。
【図５】再生順序判断基準情報が、（ａ）曲名情報、（ｂ）アーティスト名情報の五十音順情報である場合に、再生順序情報作成手段が作成した再生順序情報を作成したときの一例を概略的に示したテーブルである。
【図６】再生順序情報作成手段が、図５（ａ）または（ｂ）に示した再生順序情報を作成するときの動作を示したフローチャートである。
【図７】再生順序判断基準情報が、ジャンル情報である場合に、再生順序情報作成手段が作成した再生順序情報を作成したときの一例を概略的に示したテーブルである。
【図８】再生順序情報作成手段が、図７に示した再生順序情報を作成するときの動作を示したフローチャートである。
【図９】再生順序判断基準情報が、保存日時情報情報である場合に、再生順序情報作成手段が作成した再生順序情報を作成したときの一例を概略的に示したテーブルである。
【図１０】再生順序情報作成手段が、図９に示した再生順序情報を作成するときの動作を示したフローチャートである。
【図１１】本発明の実施の形態（１）に係る再生装置の要部を概略的に示したブロック図である。
【図１２】実施の形態（１）に係る再生装置において使用される音楽データのデータ構造および再生順序情報の一例を概略的に示したテーブルである。
【図１３】照合手段が、（ａ）発売日情報、（ｂ）ヒットランキング情報と音楽データとの間で照合処理を行うときの一例を概略的に示したテーブルである。
【図１４】実施の形態（１）に係る再生装置に用いられる操作手段および告知手段の一例を概念的に示した図である。
【図１５】再生順序判断基準情報が、発売日情報である場合に、再生順序情報作成手段が作成した再生順序情報を作成したときの一例を概略的に示したテーブルである。
【図１６】再生順序情報作成手段が、図１５に示した再生順序情報を作成するときの動作を示したフローチャートである。
【図１７】再生順序判断基準情報が、ヒットランキング情報である場合に、再生順序情報作成手段が作成した再生順序情報を作成したときの一例を概略的に示したテーブルである。
【図１８】再生順序情報作成手段が、図１７に示した再生順序情報を作成するときの動作を示したフローチャートである。
【符号の説明】
【０１０１】
１００、１１００  制御手段
１１０、１１１０  記憶手段
１２０、１１２０  読込手段
１３０、１１３０  再生手段
１４０、１１４０  操作手段
１５０、１１５０  通信手段
１６０、１１６０  再生順序情報作成手段
１７０、１１７０  再生制御手段
１８０、１１８０  告知手段
１１９０  照合手段
【図１】
2005038603.tif 000003
【図２】
2005038603.tif 000004
【図３】
2005038603.tif 000005
【図４】
2005038603.tif 000006
【図５】
2005038603.tif 000007
【図６】
2005038603.tif 000008
【図７】
2005038603.tif 000009
【図８】
2005038603.tif 000010
【図９】
2005038603.tif 000011
【図１０】
2005038603.tif 000012
【図１１】
2005038603.tif 000013
【図１２】
2005038603.tif 000014
【図１３】
2005038603.tif 000015
【図１４】
2005038603.tif 000016
【図１５】
2005038603.tif 000017
【図１６】
2005038603.tif 000018
【図１７】
2005038603.tif 000019
【図１８】
2005038603.tif 000020